(57)【要約】【課題】洗浄後の乾燥能力を向上できる洗車機を提供する。【解決手段】左右に対向するスタンド部９０とスタンド部９０の上端を連結する天井部９１とを有して被洗浄車両ＣＡに対して前後方向に移動する洗車機本体１と、洗浄水が噴射された被洗浄車両ＣＡに回転摺動して被洗浄車両ＣＡを洗浄する洗浄用ブラシ４、５、６と、被洗浄車両ＣＡに向けて送風して被洗浄車両ＣＡを乾燥させる送風ノズル２１、２２と、上下方向に延びる回転軸を有するとともに被洗浄車両ＣＡの前後面及び両側面に回転摺動して洗浄水を払拭することにより被洗浄車両ＣＡを乾燥させる乾燥用ブラシ３０とを備え、スタンド部９０間の入口面１ａに対して被洗浄車両ＣＡの進入方向前方に洗浄用ブラシ４、５、６及び送風ノズル２１、２２が配されるとともに、進入方向後方に乾燥用ブラシ３０が配される。【選択図】図２
2019048598.tif 000002
【特許請求の範囲】
【請求項１】
左右に対向するスタンド部と前記スタンド部の上端を連結する天井部とを有して被洗浄車両に対して前後方向に移動する洗車機本体と、洗浄水が噴射された被洗浄車両に回転摺動して被洗浄車両を洗浄する洗浄用ブラシと、被洗浄車両に向けて送風して被洗浄車両を乾燥させる送風ノズルと、上下方向に延びる回転軸を有するとともに被洗浄車両の前後面及び両側面に回転摺動して洗浄水を払拭することにより被洗浄車両を乾燥させる乾燥用ブラシとを備え、前記スタンド部間の入口面に対して被洗浄車両の進入方向前方に前記洗浄用ブラシ及び前記送風ノズルが配されるとともに、進入方向後方に前記乾燥用ブラシが配されることを特徴とする洗車機。
【請求項２】
前記送風ノズルが前記洗浄用ブラシと前記入口面との間に配されることを特徴とする請求項１に記載の洗車機。
【請求項３】
洗車の終了後に前記乾燥用ブラシが被洗浄車両を払拭する回転速度よりも低速で回転することを特徴とする請求項１または請求項２に記載の洗車機。
【請求項４】
前記スタンド部の正面に前記乾燥用ブラシを乾燥させるヒータを備えたことを特徴とする請求項１〜請求項３のいずれかに記載の洗車機。
【請求項５】
前記乾燥用ブラシが１本のみ設けられるとともに前記入口面の両側方間を左右方向に移動可能に配され、洗車開始時に被洗浄車両の助手席側に配されることを特徴とする請求項１〜請求項４のいずれかに記載の洗車機。
【請求項６】
前記洗車機本体が被洗浄車両の後方へ向かって移動する第１往路で前記洗浄用ブラシにより洗浄し、前記洗車機本体が被洗浄車両の前方へ向かって移動する第１復路で前記送風ノズルにより乾燥し、前記洗車機本体が被洗浄車両の後方へ向かって移動する第２往路で前記乾燥用ブラシにより被洗浄車両の一側面を払拭し、前記洗車機本体が被洗浄車両の前方へ向かって移動する第２復路で前記乾燥用ブラシにより被洗浄車両の他側面を払拭することを特徴とする請求項５に記載の洗車機。
【請求項７】
前記洗車機本体が被洗浄車両の後方へ向かって移動する第１往路で前記洗浄用ブラシにより洗浄し、前記洗車機本体が被洗浄車両の前方へ向かって移動する第１復路で前記送風ノズルにより乾燥しながら、前記乾燥用ブラシにより被洗浄車両の一側面を払拭し、前記洗車機本体が被洗浄車両の後方へ向かって移動する第２往路で前記乾燥用ブラシにより被洗浄車両の他側面を払拭することを特徴とする請求項５に記載の洗車機。
【請求項８】
前記乾燥用ブラシが軸部を中心に左右方向に傾斜可能に保持される保持部と、前記拭取ブラシの前記保持部に対する左右方向の傾斜量を検知する傾斜センサと、前記拭取ブラシを前記軸部の周方向に付勢するエアシリンダと、前記保持部を左右方向に案内する案内部と、前記保持部を左右方向に移動させる移動モータとを備え、
前記乾燥用ブラシによる被洗浄車両の一方の側面の乾燥時の前記エアシリンダの付勢方向と他方の側面の乾燥時の前記エアシリンダの付勢方向とが反対方向であることを特徴とする請求項１〜請求項７のいずれかに記載の洗車機。
【請求項９】
前記エアシリンダが複動式であることを特徴とする請求項８に記載の洗車機。
【請求項１０】
前記乾燥用ブラシが被洗浄車両の後面を払拭する際に、被洗浄車両の後面の一端から中央部の間で進行方向の反対方向に被洗浄車両上を摺動する第１回転方向で回転し、後面の中央部から他端の間で前記第１回転方向の反対方向の第２回転方向で回転することを特徴とする請求項１〜請求項９のいずれかに記載の洗車機。
【発明の詳細な説明】
【技術分野】
【０００１】
本発明は洗浄水を払拭することにより被洗浄車両を乾燥させる乾燥用ブラシを備えた洗車機に関する。
【背景技術】
【０００２】
給油所等に洗車機が設置される従来の洗車機は特許文献１に開示される。この洗車機は被洗浄車両を跨ぐ門型の洗車機本体を備える。洗車機本体の下方には地面に敷設される案内部が設けられる。案内部は被洗浄車両を前方に案内する。
【０００３】
洗車機本体には洗浄用ブラシ、送風ノズル及び乾燥用ブラシが設けられる。洗浄用ブラシは洗浄水を噴射された被洗浄車両に回転摺動して被洗浄車両を洗浄する。送風ノズルは被洗浄車両に向けて送風して被洗浄車両を乾燥させる。乾燥用ブラシは被洗浄車両に回転摺動して洗浄水を払拭することにより被洗浄車両を乾燥させる。
【０００４】
上記構成の洗車機において、所定の洗車条件が設定され、被洗浄車両が前進して案内部上で停車する。被洗浄車両が案内部により前方に案内されると、洗浄用ブラシにより被洗浄車両が洗浄される。次に被洗浄車両が前方に案内されると、送風ノズルにより被洗浄車両に向けて送風して被洗浄車両を乾燥させる。
【０００５】
次に、被洗浄車両が案内部により前方に案内されると、乾燥用ブラシにより被洗浄車両上の洗浄水を払拭して被洗浄車両を更に乾燥させる。これにより、被洗浄車両の洗車が行われる。
【先行技術文献】
【特許文献】
【０００６】
【特許文献１】特開２００９−２７４５９１号公報
【発明の概要】
【発明が解決しようとする課題】
【０００７】
しかしながら、上記従来の洗車機によると、被洗浄車両の払拭により乾燥用ブラシが洗浄水を吸水し、次の被洗浄車両の洗車時に乾燥用ブラシの吸水性が低下して乾燥能力が悪くなる問題があった。
【０００８】
本発明は、洗浄後の乾燥能力を向上できる洗車機を提供することを目的とする。
【課題を解決するための手段】
【０００９】
上記目的を達成するために本発明は、左右に対向するスタンド部と前記スタンド部の上端を連結する天井部とを有して被洗浄車両に対して前後方向に移動する洗車機本体と、洗浄水が噴射された被洗浄車両に回転摺動して被洗浄車両を洗浄する洗浄用ブラシと、被洗浄車両に向けて送風して被洗浄車両を乾燥させる送風ノズルと、上下方向に延びる回転軸を有するとともに被洗浄車両の前後面及び両側面に回転摺動して洗浄水を払拭することにより被洗浄車両を乾燥させる乾燥用ブラシとを備え、前記スタンド部間の入口面に対して被洗浄車両の進入方向前方に前記洗浄用ブラシ及び前記送風ノズルが配されるとともに、進入方向後方に前記乾燥用ブラシが配されることを特徴とする。
【００１０】
また、本発明は上記構成の洗車機において、前記送風ノズルが前記洗浄用ブラシと前記入口面との間に配されることを特徴とする。
【００１１】
また、本発明は上記構成の洗車機において、洗車の終了後に前記乾燥用ブラシが被洗浄車両を払拭する回転速度よりも低速で回転することを特徴とする。
【００１２】
また、本発明は上記構成の洗車機において、前記スタンド部の正面に前記乾燥用ブラシを乾燥させるヒータを備えたことを特徴とする。
【００１３】
また、本発明は上記構成の洗車機において、前記乾燥用ブラシが１本のみ設けられるとともに前記入口面の両側方間を左右方向に移動可能に配され、洗車開始時に被洗浄車両の助手席側に配されることを特徴とする。
【００１４】
また、本発明は上記構成の洗車機において、前記洗車機本体が被洗浄車両の後方へ向かって移動する第１往路で前記洗浄用ブラシにより洗浄し、前記洗車機本体が被洗浄車両の前方へ向かって移動する第１復路で前記送風ノズルにより乾燥し、前記洗車機本体が被洗浄車両の後方へ向かって移動する第２往路で前記乾燥用ブラシにより被洗浄車両の一側面を払拭し、前記洗車機本体が被洗浄車両の前方へ向かって移動する第２復路で前記乾燥用ブラシにより被洗浄車両の他側面を払拭することを特徴とする。
【００１５】
また、本発明は上記構成の洗車機において、前記洗車機本体が被洗浄車両の後方へ向かって移動する第１往路で前記洗浄用ブラシにより洗浄し、前記洗車機本体が被洗浄車両の前方へ向かって移動する第１復路で前記送風ノズルにより乾燥しながら、前記乾燥用ブラシにより被洗浄車両の一側面を払拭し、前記洗車機本体が被洗浄車両の後方へ向かって移動する第２往路で前記乾燥用ブラシにより被洗浄車両の他側面を払拭することを特徴とする。
【００１６】
また、本発明は上記構成の洗車機において、前記乾燥用ブラシが軸部を中心に左右方向に傾斜可能に保持される保持部と、前記拭取ブラシの前記保持部に対する左右方向の傾斜量を検知する傾斜センサと、前記拭取ブラシを前記軸部の周方向に付勢するエアシリンダと、前記保持部を左右方向に案内する案内部と、前記保持部を左右方向に移動させる移動モータとを備え、前記乾燥用ブラシによる被洗浄車両の一方の側面の乾燥時の前記エアシリンダの付勢方向と他方の側面の乾燥時の前記エアシリンダの付勢方向とが反対方向であることを特徴とする。
【００１７】
また、本発明は上記構成の洗車機において、前記エアシリンダが複動式であることを特徴とする。
【００１８】
また、本発明は上記構成の洗車機において、前記乾燥用ブラシが被洗浄車両の後面を払拭する際に、被洗浄車両の後面の一端から中央部の間で進行方向の反対方向に被洗浄車両上を摺動する第１回転方向で回転し、後面の中央部から他端の間で前記第１回転方向の反対方向の第２回転方向で回転する。
【発明の効果】
【００１９】
本発明によると、洗車機本体のスタンド部間の入口面に対して被洗浄車両の進入方向前方に洗浄用ブラシ及び送風ノズルが配され、進入方向後方に乾燥用ブラシが配される。これにより、洗浄時に飛散する洗浄水がスタンド部の入口面上の壁面により遮蔽され、乾燥用ブラシの吸水が抑制される。また、乾燥用ブラシの周囲が開放され、乾燥用ブラシに吸水された洗浄水が蒸発し易くなる。このため、乾燥用ブラシの吸水性を短時間で回復させることができ、洗車機の洗浄後の乾燥能力を向上することができる。
【図面の簡単な説明】
【００２０】
【図１】本発明の第１実施形態の洗車機を示す側面図
【図２】本発明の第１実施形態の洗車機を示す斜視図
【図３】本発明の第１実施形態の洗車機の洗車機本体概要を示す正面図
【図４】本発明の第１実施形態の洗車機の乾燥ブラシの上部を示す正面図
【図５】本発明の第１実施形態の洗車機の洗車時の第１往路を示す上面図
【図６】本発明の第１実施形態の洗車機の洗車時の第１往路を示す上面図
【図７】本発明の第１実施形態の洗車機の洗車時の第１復路を示す上面図
【図８】本発明の第１実施形態の洗車機の洗車時の第２往路を示す上面図
【図９】本発明の第１実施形態の洗車機の乾燥用ブラシによる被洗浄車両の一側面の乾燥状態を示す正面図
【図１０】本発明の第１実施形態の洗車機の乾燥用ブラシによる被洗浄車両の後面の乾燥状態を示す正面図
【図１１】本発明の第１実施形態の洗車機の乾燥用ブラシによる被洗浄車両の後面の乾燥状態を示す正面図
【図１２】本発明の第１実施形態の洗車機の洗車時の第２復路を示す上面図
【図１３】本発明の第１実施形態の洗車機の乾燥用ブラシによる被洗浄車両の他側面の乾燥状態を示す正面図
【図１４】本発明の第２実施形態の洗車機の洗車時の第１復路を示す上面図
【図１５】本発明の第２実施形態の洗車機の洗車時の第２往路を示す上面図
【発明を実施するための形態】
【００２１】
＜第１実施形態＞
以下に図面を参照して本発明の実施形態を説明する。図１、図２は本発明の第１実施形態の洗車機ＷＡを示す側面図及び斜視図である。洗車機ＷＡはリモートパネル７及び洗車機本体１を備えている。
【００２２】
リモートパネル７は被洗浄車両ＣＡの進入路Ｒに沿って配される。被洗浄車両ＣＡはリモートパネル７の面前で停車し、ユーザはリモートパネル７の操作によって洗車条件の設定を行う。
【００２３】
リモートパネル７に設けたボタンにより、シャンプー、ワックス掛け、撥水コート等に使用する液剤を用いた洗車条件を設定することができる。また、リモートパネル７によってフロントガード有り、フェンダーポール有り、サイドミラー有り、リアワイパ有り、ルーフキャリア有り等の装備品の設定もすることができる。
【００２４】
また、被洗浄車両ＣＡの運転席が左側の場合はリモートパネル７の操作により、後述する乾燥用ブラシ３０が被洗浄車両ＣＡの右側（助手席側）に配される。
【００２５】
洗車機本体１は左右に対向する２つのスタンド部９０と、スタンド部９０の上端を連結する天井部９１とを有した門型に形成される。両スタンド部９０間に被洗浄車両ＣＡが進入する入口面１ａ及び被洗浄車両ＣＡが退出する出口面１ｂが開口する。天井部９１はスタンド部９０から被洗浄車両ＣＡの進入側に向かって突出する庇部４０を有している。庇部４０は軸部４０ａを中心に回動可能に設けられる。
【００２６】
地面Ｇ上には左右一対のレール２が敷設され、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に移動する。
【００２７】
スタンド部９０には洗剤やワックス等の各種液剤を貯液した複数の貯液タンク（不図示）を収納するタンク収納部２９が配される。タンク収納部２９の上方には各貯液タンクからの液剤を分配する分配配管部２８が設けられる。分配配管部２８には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２８】
第１、第２浄水ノズル１１、１３は洗車機本体１の入口面１ａ側及び出口面１ｂ側にそれぞれ配され、被洗浄車両ＣＡに対して洗浄水を噴射する。第１、第２洗剤ノズル１２、１５は洗車機本体１の入口面１ａ側及び出口面１ｂ側にそれぞれ配され、被洗浄車両ＣＡに対して洗剤を噴射する。撥水コートノズル１４及びワックスノズル１６は洗車機本体１の出口面１ｂ側に配される。撥水コートノズル１４は被洗浄車両ＣＡに対して撥水コート剤の液体を噴射する。ワックスノズル１６は被洗浄車両ＣＡに対して液体のワックスを噴射する。
【００２９】
また、スタンド部９０の入口面１ａ側には車両検出センサ９が設けられている。車両検出センサ９は発光部及び受光部を有した光電センサ、超音波センサ等から成り、洗車機本体１に進入する被洗浄車両ＣＡの車長及び外面形状を検知する。
【００３０】
洗車機本体１には両スタンド部９０の側端部から被洗浄車両ＣＡの進入側に突出して上下方向に延びる飛水カバー５１が設けられる。右側の飛水カバー５１の先端には操作パネル８が配される。操作パネル８は複数の操作ボタン（不図示）を有し、手動による洗車開始の指示や洗車停止の指示等の入力操作を行うことができる。
【００３１】
操作パネル８は洗車機本体１の左右方向の中央に向かって被洗浄車両ＣＡの進入側に傾斜する。これにより、洗車機本体１の前後幅を小さくできるとともに、右端部に配された乾燥用ブラシ３０と操作パネル８との干渉を回避して操作パネル８上の操作ボタンの設置面積を広く確保することができる。
【００３２】
洗車機本体１の入口面１ａに対して被洗浄車両ＣＡの進入方向前方には、気流を発生して被洗浄車両ＣＡを乾燥させるブロア２０が設けられる。ブロア２０にはサイド送風ノズル２２及びトップ送風ノズル２１から成る複数の送風ノズル（乾燥部）が接続される。サイド送風ノズル２２は両スタンド部９０にそれぞれ設けられ、被洗浄車両ＣＡの側面に向けて送風する。トップ送風ノズル２１は天井部９１に設けられ、被洗浄車両ＣＡの上面に向けて送風する。
【００３３】
なお、トップ送風ノズル２１はサイド送風ノズル２２よりも洗車機本体１の入口面１ａ側に配される。また、トップ送風ノズル２１及びサイド送風ノズル２２は後述するトップブラシ４と入口面１ａとの間に配される。
【００３４】
洗車機本体１には複数の洗浄用ブラシが設けられる。洗浄用ブラシは被洗浄車両ＣＡ上に摺動してブラッシングするサイドブラシ５、トップブラシ４、ロッカーブラシ６から成る。
【００３５】
サイドブラシ５は洗車機本体１の出口面１ｂ側に左右一対に設けられる。また、サイドブラシ５は回転軸（不図示）を上下方向に配され、被洗浄車両ＣＡの前面、後面及び側面を洗浄する。
【００３６】
トップブラシ４はサイドブラシ５に対して洗車機本体１の入口面１ａ側に配される。また、トップブラシ４は回転軸（不図示）を水平方向に配して被洗浄車両ＣＡの上面に沿って昇降し、被洗浄車両ＣＡの上面を洗浄する。ロッカーブラシ６はサイドブラシ５とトップブラシ４との間に配され、回転軸（不図示）を上下方向に配して被洗浄車両ＣＡの両側面の下部を洗浄する。
【００３７】
各洗浄用ブラシは回転軸を形成するシャフトの周面に布、スポンジ等の複数の洗浄材が取り付けられる。このため、回転軸を上下方向に配したロッカーブラシ６及びサイドブラシ５は回転停止時に洗浄材が垂れ下がるため小径になり、回転時に遠心力で洗浄材が広がるため大径になる。
【００３８】
洗車機本体１の入口面１ａに対して被洗浄車両ＣＡの進入方向後方には、乾燥用ブラシ３０が設けられる。乾燥用ブラシ３０は１本のみ設けられ、後述するように左右方向に移動可能に配される。乾燥用ブラシ３０はシャフト３０ａにより上下方向に延びる回転軸を形成され、シャフト３０ａの周面に布等の吸水性の部材が取り付けられる。乾燥用ブラシ３０はトップ送風ノズル２１及びサイド送風ノズル２２による乾燥後の被洗浄車両ＣＡの前後面及び両側面に回転摺動し、被洗浄車両ＣＡに残留する洗浄水を払拭する。
【００３９】
トップ送風ノズル２１及びサイド送風ノズル２２による乾燥時に被洗浄車両ＣＡの下部に洗浄水の水滴が残留し易い。このため、乾燥用ブラシ３０により被洗浄車両ＣＡの前後面及び両側面が払拭される。被洗浄車両ＣＡの上面に水滴が残留する場合は上面を払拭する乾燥用ブラシを別途設けてもよい。
【００４０】
図３は洗車機本体１の概略正面図を示している。庇部４０（図２参照）内には左右方向に延びるレール２６（案内部）が設けられる。乾燥用ブラシ３０はレール２６上を走行する保持部３５により保持される。これにより、乾燥用ブラシ３０は左右方向に移動可能に配される。
【００４１】
図４は乾燥用ブラシ３０の上部の正面図を示している。保持部３５は複数の金属板により形成され、前後に対向する一対の対向壁３５ａによりレール２６の前後面を囲む。保持部３５にはレール２６上を転動する駆動車輪２７、従動ローラ３４ａ〜３４ｅが設けられる。
【００４２】
駆動車輪２７は軸方向を水平に配して保持部３５に軸支される。駆動車輪２７は保持部３５に取り付けられる移動モータ３６の駆動によりレール２６の上面２６ａを転動する。レール２６の上面２６ａは前後端に傾斜面が形成され、駆動車輪２７の周面は上面２６ａの前後の傾斜面に沿ってＶ字状に形成される。これにより、駆動車輪２７はレール２６の上面２６ａ上を安定して転動することができる。
【００４３】
従動ローラ３４ａは軸方向を水平に対して傾斜して保持部３５に軸支され、上面２６ａの前後の傾斜面に沿って前後一対設けられる。従動ローラ３４ｂ、３４ｃは軸方向を水平に配して軸支部２５に軸支され、レール２６の下面２６ｂを転動する。従動ローラ３４ｄ、３４ｅは軸方向を鉛直に配して保持部３５に軸支され、レール２６の側面２６ｃを転動する。
【００４４】
対向壁３５ａ上には乾燥用ブラシ３０を軸支する軸支部２５が設けられる。乾燥用ブラシ３０の回転軸を形成するシャフト３０ａは水平断面が矩形の中空のロッド３０ｂに挿通され、ロッド３０ｂ内に配した軸受（不図示）により回転可能に支持される。シャフト３０ａは保持部３５に設置される回転モータ（不図示）に連結され、回転モータの駆動によって乾燥用ブラシ３０が上下に延びる回転軸を中心に回転する。
【００４５】
また、ロッド３０ｂの前後面には軸部３０ｄが突設され、軸支部２５には軸部３０ｄに嵌合する軸受２５ａが設けられる。これにより、保持部３５は軸部３０ｄを中心に乾燥用ブラシ３０を左右方向に傾斜可能に保持する。
【００４６】
軸支部２５には軸部３０ｄの上方及び下方にそれぞれ近接スイッチから成る傾斜センサ２５ｂ及び傾斜センサ２５ｃが設けられる。ロッド３０ｂには傾斜センサ２５ｂの上方に対向部材３９ｂが配され、傾斜センサ２５ｃの下方に対向部材３９ｃが配される。
【００４７】
対向部材３９ｂ及び対向部材３９ｃは傾斜センサ２５ｂ及び傾斜センサ２５ｃに対向して乾燥用ブラシ３０の傾斜量を検知する。移動モータ３６の駆動により左右方向に移動する乾燥用ブラシ３０は被洗浄車両ＣＡに当接すると傾斜する。そして、傾斜センサ２５ｂが対向部材３９ｂに対向すると移動モータ３６が停止され、乾燥用ブラシ３０が洗浄時に所望の傾斜量に配される。また、傾斜センサ２５ｃが対向部材３９ｃに対向すると移動モータ３６が停止され、乾燥用ブラシ３０が洗浄時に所望の傾斜量に配される。
【００４８】
即ち、被洗浄車両ＣＡの右側面を払拭する際には、傾斜センサ２５ｃが図中、対向部材３９ｃに対向して乾燥用ブラシ３０が所望の傾斜量に到達したことを検知する。被洗浄車両ＣＡの左側面を払拭する際には、傾斜センサ２５ｂが図中、対向部材３９ｂに対向して乾燥用ブラシ３０が所望の傾斜量に到達したことを検知する。
【００４９】
保持部３５には軸部３０ｄよりも上方に配した複動式のエアシリンダ３２が設置される。エアシリンダ３２は円筒形のシリンダチューブ３２ｂ及びシリンダロッド３２ａを有し、シリンダロッド３２ａの先端がロッド３０ｂの上端部に回転可能に連結される。シリンダチューブ３２ｂの前端及び後端には配管３３が接続され、一方の配管３３を介して空気が供給される。これにより、シリンダロッド３２ａが伸びた状態と縮んだ状態とに可変され、エアシリンダ３２により乾燥用ブラシ３０を軸部３０ｄの周方向に付勢する。
【００５０】
即ち、被洗浄車両ＣＡの左側面の払拭時にシリンダロッド３２ａが伸び、被洗浄車両ＣＡに当接する乾燥用ブラシ３０はエアシリンダ３２の付勢力に抗して図中、時計回りに傾斜する。また、被洗浄車両ＣＡの右側面の払拭時にシリンダロッド３２ａが縮み、被洗浄車両ＣＡに当接する乾燥用ブラシ３０はエアシリンダ３２の付勢力に抗して図中、反時計回りに傾斜する。
【００５１】
これにより、一のエアシリンダ３２によって乾燥用ブラシ３０を左右の両方向に付勢することができる。また、２本のコイルバネにより乾燥用ブラシ３０を左右の両方向に付勢すると、コイルバネの自由長から中立位置までの伸縮による弾性力は相殺される。このため、中立位置から傾斜した乾燥用ブラシ３０に対する付勢力が小さくなり、大きな付勢力を得ることが困難である。
【００５２】
これに対してエアシリンダ３２は空気の供給方向を切り替えることにより、乾燥用ブラシ３０に対して左右の両方向に大きな付勢力を得られる。従って、被洗浄車両ＣＡの両側面に対する押圧力が大きく乾燥能力の大きい乾燥用ブラシ３０を容易に実現することができる。なお、エアシリンダ３２は単動式でもよいが複動式にすると、左右の両方向の付勢力が空気圧により得られる。このため、乾燥用ブラシ３０の傾斜量が変動しても付勢力を安定させることができ、被洗浄車両ＣＡに対する乾燥用ブラシ３０の押圧力を均一にすることができる。
【００５３】
なお、サイドブラシ５も同様の構成により左右方向に移動可能に配される。この時、サイドブラシ５が左右一対配されるため、傾斜センサ２５ｂ、２５ｃは一方向の傾斜を検知する。また、エアシリンダ３２に替えてサイドブラシ５を傾斜方向の一方向に付勢するコイルバネが設けられる。
【００５４】
乾燥用ブラシ３０のシャフト３０ａはロッド３０ｂに対して取り外し可能に設けられる。また、庇部４０は天井部９１に軸部４０ａ（図１参照）で回動可能に設けられる。このため、乾燥用ブラシ３０を取り外して庇部４０を下方に回動すると、洗車機本体１の前後幅を小さくすることができる。これにより、洗車機本体１の運搬時に運搬車両の荷台の左右方向に洗車機本体１の前後方向を配して洗車機本体１を荷台に載置することができる。
【００５５】
上記構成の洗車機ＷＡにおいて、リモートパネル７から所定の洗車設定を行い所定の位置に被洗浄車両ＣＡを停止させる。この時、リモートパネル７の操作により、乾燥用ブラシ３０は被洗浄車両ＣＡの助手席側（通常左側）の初期位置Ｙ１（図２参照）に配されている。これにより、運転手が洗車開始前に容易に降車することができる。また、運転手が洗車機本体１に乗り入れる前に降車して操作パネル８により設定してもよい。
【００５６】
被洗浄車両ＣＡが所定位置に停車すると、洗車機本体１が洗車開始位置Ｕ１から前後方向に移動して洗車が行われる。図５〜図８は洗車機本体１の洗車時の動作を示す上面図である。
【００５７】
洗車が開始されると、図５の矢印Ｄ１に示すように洗車機本体１は洗車開始位置Ｕ１から被洗浄車両ＣＡの後方へ向かって移動を開始する（第１往路）。洗車機本体１の移動に伴って車両検出センサ９は被洗浄車両ＣＡの形状を検知する。
【００５８】
この時、乾燥用ブラシ３０は被洗浄車両ＣＡを払拭する回転速度よりも遅い速度で回転する。乾燥用ブラシ３０はスタンド部９０よりも被洗浄車両ＣＡの進入側に突出するため、人が乾燥用ブラシ３０の近傍に存在する可能性がある。このため、回転停止した乾燥用ブラシ３０を高速回転して洗浄を行うと怪我の危険がある。従って、乾燥用ブラシ３０を洗浄前に低速で回転させることにより、高速回転が行われることを事前に認知させて危険を防止することができる。
【００５９】
第１浄水ノズル１１、第２浄水ノズル１３、第１洗剤ノズル１２、第２洗剤ノズル１５から洗浄水が噴射されながら、トップブラシ４は車両検出センサ９により検出した被洗浄車両ＣＡの形状に沿って昇降する。これにより、被洗浄車両ＣＡの上面が洗浄される。
【００６０】
車両検出センサ９により検出した被洗浄車両ＣＡの前端にサイドブラシ５が配されると洗車機本体１が停止し、左右のサイドブラシ５が回転して左右方向に移動する。これにより、被洗浄車両ＣＡの前面が洗浄される。
【００６１】
被洗浄車両ＣＡの前面の洗浄が終了すると左右のサイドブラシ５が離れ、図６に示すように再び洗車機本体１は被洗浄車両ＣＡの後方へ向かって移動する。これにより、サイドブラシ５によって被洗浄車両ＣＡの側面が洗浄される。この時、サイドブラシ５は進行方向の反対方向に被洗浄車両ＣＡ上を摺動する方向に回転する。即ち、左方のサイドブラシ５は回転方向Ｖ１（図中、反時計回り）に回転し、右方のサイドブラシ５は回転方向Ｖ２（図中、時計回り）に回転する。
【００６２】
車両検出センサ９により検出した被洗浄車両ＣＡの後端にサイドブラシ５が配されると洗車機本体１が停止し、左右のサイドブラシ５が回転して左右方向に移動する。これにより、被洗浄車両ＣＡの後面が洗浄される。
【００６３】
トップブラシ４及びサイドブラシ５による洗浄時に飛散する洗浄水はスタンド部９０及び天井部９１の入口面１ａ上の壁面により遮蔽される。このため、スタンド部９０の外側に配した乾燥用ブラシ３０の吸水を抑制することができる。
【００６４】
洗浄用ブラシによって被洗浄車両ＣＡの洗浄が終了すると、図７の矢印Ｄ２に示すように洗車機本体１が被洗浄車両ＣＡの前方に向かって移動する（第１復路）。そして、トップ送風ノズル２１及びサイド送風ノズル２２によって被洗浄車両ＣＡの乾燥が行われる。
【００６５】
トップ送風ノズル２１及びサイド送風ノズル２２による乾燥が終了すると、図８の矢印Ｄ１に示すように、洗車機本体１が被洗浄車両ＣＡの後方に向かって移動する（第２往路）。乾燥用ブラシ３０は被洗浄車両ＣＡに回転摺動し、洗浄水を払拭することにより被洗浄車両ＣＡを乾燥させる。即ち、洗車機本体１が被洗浄車両ＣＡの後方へ向かって移動し、乾燥用ブラシ３０により被洗浄車両ＣＡの一側面（この場合は左側面）を払拭する。
【００６６】
図９はこの時の乾燥用ブラシ３０の正面図を示している。乾燥用ブラシ３０による乾燥が開始する際に、エアシリンダ３２はシリンダロッド３２ａが伸びる方向に空気を供給される。そして、保持部３５（図４参照）が移動モータ３６（図４参照）の駆動によりレール２６の左端から右方向に案内されて移動し、乾燥用ブラシ３０が被洗浄車両ＣＡの左側面に当接する。
【００６７】
これにより、乾燥用ブラシ３０はエアシリンダ３２の付勢力に抗して左右方向に傾斜し、傾斜センサ２５ｂ（図４参照）の検知により所定の傾斜量に配されると移動モータ３６が停止される。この時、乾燥用ブラシ３０は進行方向の反対方向に被洗浄車両ＣＡ上を摺動する回転方向Ｖ３（第１回転方向、図８参照）で回転し、被洗浄車両ＣＡの左側面を払拭する。
【００６８】
乾燥用ブラシ３０が被洗浄車両ＣＡよりも後方に配されると、洗車機本体１が移動を停止する。この時、乾燥用ブラシ３０が被洗浄車両ＣＡの側面からの押圧力から解放されるので、シリンダロッド３２ａが伸長する。このため、図１０に示すように乾燥用ブラシ３０は下端が右側に向くように傾斜する。そして、移動モータ３６の駆動により乾燥用ブラシ３０が右方に移動し、被洗浄車両ＣＡの後面が払拭される。この時、乾燥用ブラシ３０は回転方向Ｖ３で回転する。
【００６９】
乾燥用ブラシ３０が被洗浄車両ＣＡの後面の略中央部Ｐ１に到達すると、エアシリンダ３２はシリンダロッド３２ａが縮む方向に空気を供給される。このため、図１１に示すように乾燥用ブラシ３０は下端が左側に向くように傾斜する。被洗浄車両ＣＡの後面の洗浄終了時にエアシリンダ３２はシリンダロッド３２ａが縮む方向に空気を供給してもよい。
【００７０】
また、乾燥用ブラシ３０の回転モータが反転され、乾燥用ブラシ３０が回転方向Ｖ３と反対の回転方向Ｖ４（第２回転方向、図８参照）で回転する。これにより、回転方向Ｖ４で回転する乾燥用ブラシ３０により被洗浄車両ＣＡの残りの後面が払拭される。
【００７１】
乾燥用ブラシ３０は被洗浄車両ＣＡの後面の左半分で進行方向の反対方向に被洗浄車両ＣＡ上を摺動する回転方向Ｖ３で回転し、右半分で進行方向に被洗浄車両ＣＡ上を摺動する回転方向Ｖ４で回転する。このため、被洗浄車両ＣＡにリアワイパが設けられた際に、乾燥用ブラシ３０がリアワイパの支軸から開放端に向かって摺動してリアワイパを被洗浄車両ＣＡの後面に押しつける。これにより、リアワイパの開放端が回転する乾燥用ブラシ３０により被洗浄車両ＣＡの後面から引き剥がされることによるリアワイパの破損を防止することができる。
【００７２】
乾燥用ブラシ３０は被洗浄車両ＣＡの後面の払拭を終了すると、レール２６の右端まで移動する。この時、図１２に示すように、乾燥用ブラシ３０の回転モータが反転され、乾燥用ブラシ３０が回転方向Ｖ３で回転する。そして、洗車機本体１が矢印Ｄ２に示すように被洗浄車両ＣＡの前方に向かって移動する（第２復路）。
【００７３】
この時、図１３に示すように保持部３５（図４参照）が移動モータ３６の駆動によりレール２６の右端から左方向に案内されて移動し、乾燥用ブラシ３０が被洗浄車両ＣＡの右側面に当接する。これにより、乾燥用ブラシ３０はエアシリンダ３２の付勢力に抗して左右方向に傾斜し、傾斜センサ２５ｃの検知により所定の傾斜量に配されると移動モータ３６が停止される。そして、洗車機本体１の移動により、被洗浄車両ＣＡの他側面（この場合は右側面）が払拭される。
【００７４】
乾燥用ブラシ３０が被洗浄車両ＣＡの前端に配されると、洗車機本体１が移動を停止する。そして、乾燥用ブラシ３０が左右方向に移動して被洗浄車両ＣＡの前面が払拭される。そして、乾燥用ブラシ３０が初期位置Ｙ１（図２参照）に復帰する。これにより、被洗浄車両ＣＡの前後面及び両側面が払拭される。その後、洗車機本体１は被洗浄車両ＣＡの後方に移動し、被洗浄車両ＣＡが前進して退出する。なお、第２往路の開始時に被洗浄車両ＣＡの前面を乾燥用ブラシ３０により払拭してもよい。
【００７５】
被洗浄車両ＣＡが退出したことが確認されると、洗車機本体１が洗車開始位置Ｕ１に復帰し、洗車が終了する。そして、洗車終了後の所定期間に乾燥用ブラシ３０が被洗浄車両ＣＡを払拭する回転速度よりも低速で回転し、乾燥用ブラシ３０の脱水が行われる。乾燥用ブラシ３０はスタンド部９０の外側に配されて周囲が開放されるため、脱水後に残留する洗浄水が蒸発しやすい。また、洗車終了後の所定期間にヒータ１９が所定時間駆動され、乾燥用ブラシ３０の洗浄水の蒸発が促進される。
【００７６】
これにより、乾燥用ブラシ３０の吸水性が回復され、次の被洗浄車両ＣＡの洗車時の乾燥能力を向上することができる。
【００７７】
本実施形態によると、洗車機本体１のスタンド部９０間の入口面１ａに対して被洗浄車両ＣＡの進入方向前方に洗浄用ブラシ（トップブラシ４、サイドブラシ５、ロッカーブラシ６）及び送風ノズル（トップ送風ノズル２１、サイド送風ノズル２２）が配される。また、入口面１ａに対して進入方向後方に乾燥用ブラシ３０が配される。
【００７８】
これにより、洗浄時に飛散する洗浄水がスタンド部９０の入口面１ａ上の壁面により遮蔽され、乾燥用ブラシ３０の吸水が抑制される。また、乾燥用ブラシ３０の周囲が開放され、乾燥用ブラシ３０に吸水された洗浄水が蒸発し易くなる。このため、乾燥用ブラシ３０の吸水性を短時間で回復させることができ、洗車機ＷＡの洗浄後の乾燥能力を向上することができる。
【００７９】
また、送風ノズルが洗浄用ブラシと入口面１ａとの間に配される。これにより、洗浄用ブラシと乾燥用ブラシ３０との距離を大きくし、洗浄時の乾燥用ブラシ３０の吸水をより低減することができる。
【００８０】
また、洗車の終了後に乾燥用ブラシ３０が被洗浄車両ＣＡを払拭する回転速度よりも低速で回転する。これにより、乾燥用ブラシ３０を脱水することができ、乾燥用ブラシ３０の吸水性をより回復させることができる。この時、スタンド部９０の外側に配される乾燥用ブラシ３０が低速で回転するため、洗車機本体１の付近の人と乾燥用ブラシ３０との接触による怪我を防止することができる。
【００８１】
また、スタンド部９０の正面に乾燥用ブラシ３０を乾燥させるヒータ１９を設けたので、乾燥用ブラシ３０の吸水性をより回復させることができる。
【００８２】
また、乾燥用ブラシ３０を左右一対設けてもよいが、入口面１ａの両側方間を左右方向に移動可能な１本のみを設けることにより洗車機ＷＡのコストを削減することができる。
【００８３】
この時、乾燥用ブラシ３０を左右一対設けると、洗車開始時に運転者を降車可能にするため被洗浄車両ＣＡを乾燥用ブラシ３０の手前で停車させる必要がある。このため、乾燥用ブラシ３０よりも進入方向前方に配したトップブラシ４による洗浄の開始が遅れる。これに対し、１本の乾燥用ブラシ３０を洗車開始時に被洗浄車両ＣＡの助手席側に配するため、運転者が降車可能で被洗浄車両ＣＡをトップブラシ４の手前で停車させることができる。従って、トップブラシ４による洗浄が早期に開始され、洗車機ＷＡの洗車時間を短縮することができる。
【００８４】
また、第１往路で洗浄用ブラシにより洗浄し、第１復路で送風ノズルにより乾燥する。そして、第２往路で乾燥用ブラシ３０により被洗浄車両ＣＡの一側面を払拭し、第２復路で乾燥用ブラシ３０により被洗浄車両ＣＡの他側面を払拭する。これにより、乾燥用ブラシ３０により被洗浄車両ＣＡを払拭可能な洗車機ＷＡを容易に実現することができる。
【００８５】
また、左右方向に傾斜可能な乾燥用ブラシ３０による被洗浄車両ＣＡの一方の側面の乾燥時のエアシリンダ３２の付勢方向と他方の側面の乾燥時のエアシリンダ３２の付勢方向とが反対方向である。これにより、一のエアシリンダ３２によって乾燥用ブラシ３０を左右の両方向に付勢することができる。また、被洗浄車両ＣＡの両側面に対する押圧力が大きく払拭による乾燥能力の大きい乾燥用ブラシ３０を容易に実現することができる。
【００８６】
また、エアシリンダ３２が複動式であるため、被洗浄車両ＣＡに対する乾燥用ブラシ３０の押圧力を均一にすることができる。
【００８７】
また、乾燥用ブラシ３０が被洗浄車両ＣＡの後面を払拭する際に、被洗浄車両ＣＡの後面の一端から中央部Ｐ１の間で進行方向の反対方向に被洗浄車両上を摺動する第１回転方向Ｖ３で回転する。また、後面の中央部Ｐ１から他端の間で第１回転方向Ｖ３の反対方向の第２回転方向Ｖ４で回転する。このため、被洗浄車両ＣＡにリアワイパが設けられた際に、乾燥用ブラシ３０がリアワイパの支軸から開放端に向かって摺動してリアワイパを被洗浄車両ＣＡの後面に押しつける。これにより、リアワイパの開放端が回転する乾燥用ブラシ３０により被洗浄車両ＣＡの後面から引き剥がされることによるリアワイパの破損を防止することができる。
【００８８】
＜第２実施形態＞
次に、第２実施形態について説明する。本実施形態は乾燥用ブラシ３０の駆動時期が第１実施形態と異なっている。その他の部分は第１実施形態と同様である。
【００８９】
洗車が開始されると、第１実施形態と同様に第１往路でトップブラシ４、サイドブラシ５及びロッカーブラシ６による洗浄が行われる。
【００９０】
洗浄用ブラシによって被洗浄車両ＣＡの洗浄が終了すると、図１４の矢印Ｄ２に示すように洗車機本体１が被洗浄車両ＣＡの前方に向かって移動する（第１復路）。そして、トップ送風ノズル２１及びサイド送風ノズル２２によって被洗浄車両ＣＡの乾燥が行われる。
【００９１】
この時、トップ送風ノズル２１及びサイド送風ノズル２２が通過した被洗浄車両ＣＡ上に乾燥用ブラシ３０が回転摺動し、被洗浄車両ＣＡの左側面が払拭される。乾燥用ブラシ３０が被洗浄車両ＣＡの前端に到達すると洗車機本体１が停止し、乾燥用ブラシ３０が左右方向に移動して被洗浄車両ＣＡの前面が払拭される。
【００９２】
被洗浄車両ＣＡの前面が払拭されると、図１５の矢印Ｄ１に示すように洗車機本体１が被洗浄車両ＣＡの前方に向かって移動する（第２往路）。これにより、被洗浄車両ＣＡの左側面が乾燥用ブラシ３０により払拭される。乾燥用ブラシ３０が被洗浄車両ＣＡの後端に到達すると洗車機本体１が停止し、乾燥用ブラシ３０が左右方向に移動して被洗浄車両ＣＡの後面が払拭される。これにより、乾燥用ブラシ３０は初期位置Ｙ１（図２参照）に配される。
【００９３】
乾燥用ブラシ３０による乾燥が終了すると、被洗浄車両ＣＡが退出する。被洗浄車両ＣＡが退出したことが確認されると、洗車機本体１が洗車開始位置Ｕ１に復帰し、洗車が終了する。
【００９４】
本実施形態によると、第１復路で送風ノズルにより乾燥しながら、乾燥用ブラシ３０により被洗浄車両ＣＡの一側面を払拭し、第２往路で乾燥用ブラシ３０により被洗浄車両ＣＡの他側面を払拭する。このため、第１実施形態よりも洗車時間を短縮することができる。
【産業上の利用可能性】
【００９５】
本発明によると、被洗浄車両を乾燥する乾燥用ブラシを備えた洗車機に利用することができる。
【符号の説明】
【００９６】
１      洗車機本体
１ａ    入口面
１ｂ    出口面
２      レール
３      車輪
４      トップブラシ
５      サイドブラシ
６      ロッカーブラシ
７      リモートパネル
８      操作パネル
９      車両検出センサ
１４      撥水コートノズル
１６      ワックスノズル
１９      ヒータ
２０      ブロア
２１      トップ送風ノズル
２２      サイド送風ノズル
２５      軸支部
２５ａ    軸受
２５ｂ、２５ｃ  傾斜センサ
２６      レール
２７      駆動車輪
２８      分配配管部
２９      タンク収納部
３０      乾燥用ブラシ
３０ａ    シャフト
３０ｂ    ロッド
３０ｄ    軸部
３２      エアシリンダ
３２ａ    シリンダロッド
３２ｂ    シリンダチューブ
３３      配管
３４ａ、３４ｂ、３４ｄ、３４ｅ  従動ローラ
３５      保持部
３６      移動モータ
３９      傾斜センサ
３９ｂ、３９ｃ  対向部材
３９ｄ    軸部
４０      庇部
４０ａ    軸部
９０      スタンド部
９１      天井部
ＣＡ      被洗浄車両
Ｅ１      矢印
Ｇ      地面
Ｒ      進入路
Ｕ１      洗浄開始一
Ｖ１、Ｖ２  回転方向
Ｖ３      回転方向（第１回転方向）
Ｖ４      回転方向（第２回転方向）
ＷＡ      洗車機
Ｙ１      初期位置
【図１】
2019048598.tif 000003
【図２】
2019048598.tif 000004
【図３】
2019048598.tif 000005
【図４】
2019048598.tif 000006
【図５】
2019048598.tif 000007
【図６】
2019048598.tif 000008
【図７】
2019048598.tif 000009
【図８】
2019048598.tif 000010
【図９】
2019048598.tif 000011
【図１０】
2019048598.tif 000012
【図１１】
2019048598.tif 000013
【図１２】
2019048598.tif 000014
【図１３】
2019048598.tif 000015
【図１４】
2019048598.tif 000016
【図１５】
2019048598.tif 000017